(57)【要約】【課題】枠体の四隅の枠柱を、一対に対向する２本一組の枠柱が、それぞれ対向する側に向け倒伏回動するようベースに組付け、それらの倒伏回動によりベース上に折畳むようにするときに、その折畳みが、穀粒袋を懸架した状態で行えるようにすることと、穀粒袋を開口状態に保持する４本のビームを、枠柱間に渡架する桁材の４本のビームに兼用させて、使用するビームの本数を半減させるときの組付けが、止めネジを用いることなく、行えるようにすることにある。【解決手段】ベース１の四隅のベース柱１０の各上端側に、枠柱２を接続して、直立する姿勢に保持せしめ枠柱２の各上端側には、継柱４を接続し、それら継柱４間にそれぞれ一本ずつビームａを渡架して、立方体状の枠体Ａを組立て、この枠体Ａに、穀粒袋Ｂを、枠体Ａの継柱４間に渡架する四本のビームａのそれぞれを該穀粒袋Ｂの筒部６０に対し嵌挿しておくことにより懸架せしめる。【選択図】図４
2007246145.tif 000002
【特許請求の範囲】
【請求項１】
背の低い四角な台枠状に組立てたベース１の四隅のベース柱１０の各上端側に、枠柱２の下端側を、ベース１の上面に向かう方向の回動を自在にヒンジ１２を介し接続して、その枠柱２とベース１との間に係脱自在に渡架するひ打ち梁により直立する姿勢に保持せしめるとともに、これら枠柱２の各上端側には、継柱４の下端側を、それぞれ突出高さを可調に嵌装して接続し、それら継柱４の各上端側には、相い隣なる継柱４間に渡架するビームａの各端部を嵌合して連結せしめるチャンネル状の接続金具３をそれぞれ設け、これら接続金具３を介し、４本の継柱４の相い隣なる間にそれぞれ一本ずつビームａを渡架して、立方体状の枠体Ａを組立て、この枠体Ａに、合成樹脂材のシートまたは布地により、上部側が四角な角筒状で、下部側が漏斗状をなし、角筒状の上部側の外面側における前後左右の各面に、前記ビームａを嵌挿せしめる鞘袋状の筒部６０を、上下に多段に並列させて設けた穀粒袋Ｂを、枠体Ａの継柱４間に渡架する四本のビームａのそれぞれを該穀粒袋Ｂの筒部６０に対し嵌挿しておくことにより懸架せしめてなる穀粒運搬用のコンテナ。
【請求項２】
継柱４の上端側に装設するビームａ接続用の接続金具３を、金属材により、内腔にビームａの端部が嵌入するチャンネル状に成形して、それのこぐちを継柱４の外壁面に突き当てて溶接により継柱４に装設し、かつ、底壁面３０または枠体Ａの内部に向かう側の側壁面３１に、ビームａの周壁に開設した嵌合穴ｂに嵌合する係止ピン３２を植設しておくことを特徴とする請求項１記載の穀粒運搬用のコンテナ。
【請求項３】
穀粒袋Ｂの前面側の壁面８０と後面側の壁面８１との間に、それら壁面８０と壁面８１とを互いに引き寄せる伸縮する弾性紐状体９１を、取り外し自在に渡架しておくことを特徴とする請求項１記載の穀粒運搬用のコンテナ。
【発明の詳細な説明】
【技術分野】
【０００１】
本発明は、金属材によりトラックの荷台上に載架し得る中空の立方体状の枠体を組立て、それに、合成樹脂材のシートにより底部を漏斗状に形成した穀粒袋を吊り下げ装着して構成する穀粒運搬用のコンテナについての改良に関する。
【背景技術】
【０００２】
上述の形態の穀粒運搬用のコンテナは、通常、鉄板等の金属板の折曲加工により角筒状に形成した柱材・桁材により、図１にあるように、トラックＴの荷台ｔ上に載架し得る床面積を具備する背の低い四角な台枠状のベース１の四隅のベース柱１０の各上端に、それぞれ別に形成しておく枠柱２の各下端を嵌挿し、ネジにより連結して、四隅の枠柱２を立設し、それら枠柱２の各上端部の、相い隣なる枠柱２と対向する二つの面に、それぞれ桁材とするビームａの端部を嵌合せしめて連結する短い筒状の接続金具３を装設し、この接続金具３に、相い隣なる枠柱２間に桁材として渡架するビームａの端部を嵌挿し連結して図１にあるように四角な立方体状の中空の枠体Ａに組立てる。
【０００３】
この枠体Ａの四隅の枠柱２の各上端側には、図２にあるように、別に形成しておく短い継柱４をそれぞれ嵌挿して、それの突出長さの調節を自在に接続し、それら継柱４の相い隣なる継柱４と対向する二つの面に、それぞれ前述の接続金具３と同様に構成した接続金具３を設けて、これに、穀粒袋Ｂの上部開口の開口縁を開口状態に保持せしめるために、前述のビームａと同様に形成したビームａの端部を支承させるようにする。
【０００４】
枠体Ａの内腔に懸架する穀粒袋Ｂは、合成樹脂材よりなるシートまたは布地により、上部側が前後左右の四つの面を具備する略長方形の角筒状で、底部側が四つの各面の巾を下方に向かい次第に狭くした漏斗状となる形状に形成し、角筒状に形成した上部側の各面の外面側には、前述のビームａを嵌挿せしめる鞘袋状の筒部６０を、それぞれ上下に多段に並列させて形成しておき、漏斗状とした底部側の下端に形成せる袋Ｂの下口には、図３に示しているように、鉄板よりなる略方形の枠金状の口枠６１をネジ６２により組付け止着しておく。
【０００５】
そして、この穀粒袋Ｂを枠体Ａに対して懸架状態とする装着は、穀粒袋Ｂの下口に設けた枠金状の口枠６１を、枠体Ａのベース１の上面の略中央部位に設けた組付座１１にネジにより組付けセットし、穀粒袋Ｂの上部側の各面の外面に設けてある鞘袋状の筒部６０に、それぞれ、ビームａを挿通して、そのビームａごと穀粒袋Ｂの上部側を持ち上げ、鞘袋状の筒部６０から突出しているビームａの両端部を、継柱４の上端に設けた接続金具３に嵌め込み止着することで行うようにしている。
【０００６】
この穀粒袋Ｂの枠体Ａに対する懸架装着に際し、ビームａを、多段に並列する鞘袋状の筒部６０に対し挿通するときの選択は、枠体Ａをトラックの荷台に載架してトラックの走行により穀粒の運搬を行うときの、納屋の入口の高さとの関係により、設定した継柱４の突出高さから、それに対応する高さ位置の筒部６０を選択して行う。
【０００７】
このようにして構成する穀粒運搬用のコンテナＣを用いて行う穀粒の運搬作業は、図１にあるように、穀粒袋Ｂを懸架装着した枠体Ａを、トラックＴの荷台上に載架して、そのトラックＴの運転走行により、圃場において収穫作業を行っているコンバインの隣側に位置させ、コンバインの揚穀筒から放出される穀粒を、枠体Ａに懸架した穀粒袋Ｂの上面側の開放口から受入れ、これを、トラックＴの走行により収納舎内に設置してある穀粒乾燥機の隣側位置に運び、そこで、コンテナＣの、台枠状のベース１の内腔に、受入口を、穀粒袋Ｂの下口に装着した枠金状の口枠６１の下面側の開放口と接続せしめて、その開放口中心に水平な面に沿い旋回自在に組付けてある穀粒搬送機７に、穀粒搬送筒７０を接続して、それの作動によって、接続した穀粒搬送筒７０により穀粒を搬出させ、それを、穀粒乾燥機の張込ホッパに投入して、その穀粒乾燥機の機内に張り込むように用い、また、穀粒乾燥機で乾燥した穀粒を、枠体Ａに懸架した穀粒袋Ｂに受入れ、トラックＴの運転走行により穀粒貯蔵施設に運搬するように用いる。
【０００８】
このように用いられる穀粒運搬用のコンテナは、それの使用が、穀粒が収穫される収穫期だけで、シーズンを終えたときは、折畳んで、収納舎に格納される。
【０００９】
このときの、穀粒運搬用のコンテナＣの折畳みは、枠体Ａに懸架した穀粒袋Ｂの開放口の口縁部位に設けた筒部６０に挿通している４本のビームａ…を抜き取って、穀粒袋Ｂの懸架を解放し、次いで、枠体Ａの四隅の枠柱２間に桁材として渡架してある４本のビームａを取り外し、次いで、四隅の枠柱２を抜き取って、枠体Ａを、ベース１と枠柱２と８本のビームａとにばらし、穀粒搬送筒７０を抜き取った穀粒搬送機７が組付けてあるベース１の上面に穀粒袋Ｂを畳み込み、その上にばらした枠柱２および８本のビームａを重ね、紐により緊縛することで、折畳み作業を終え、それを収納舎に格納することで行っている。
【００１０】
この穀粒運搬用のコンテナには、穀粒の収穫シーズンを終えた不使用時に格納するときに、８本のビームを枠体および穀粒袋から外して行う折畳み作業が、手間がかかって厄介な問題がある。特に、桁材とする４本のビームａの枠柱２からの取り外しが、止めネジを抜き取る作業を伴うことで面倒な問題がある。
【発明の開示】
【発明が解決しようとする課題】
【００１１】
本発明において解決しようとする課題は、格納するときの折畳み作業を簡略化することのために、枠体の四隅の枠柱を、前後または左右に対をなして相い隣なる２本の枠柱が、一体的に結合する２本一組の枠柱となり、それが、前後または左右に一対に対向するようにして、これら一対に対向する２本一組の枠柱を、それぞれ対向する側に向け倒伏回動自在にベースに組付け、それらの倒伏回動によりベース上に折畳むようにするときに、その折畳みが、穀粒袋を懸架した状態で行えるようにすることと、懸架する穀粒袋の上面側の開放口を開口状態に保持するための４本のビームを、枠体を構築するために四隅の枠柱間に渡架する桁材の４本のビームに兼用させて、ビームの本数を半減させるようにするときに、そのビームの枠体に対する渡架・組付けが、止めネジを用いることなく、構築する枠体の強度を充分に保持せしめた状態で行えるようにすることにある。
【課題を解決するための手段】
【００１２】
上述の課題を解決するための手段として、本発明においては、請求項１に記載したように、背の低い四角な台枠状に組立てたベース１の四隅のベース柱１０の各上端側に、枠柱２の下端側を、ベース１の上面に向かう方向の回動を自在にヒンジ１２を介し接続して、その枠柱２とベース１との間に係脱自在に渡架するひ打ち梁により直立する姿勢に保持せしめるとともに、これら枠柱２の各上端側には、継柱４の下端側を、それぞれ突出高さを可調に嵌装して接続し、それら継柱４の各上端側には、相い隣なる継柱４間に渡架するビームａの各端部を嵌合して連結せしめるチャンネル状の接続金具３をそれぞれ設け、これら接続金具３を介し、４本の継柱４の相い隣なる間にそれぞれ一本ずつビームａを渡架して、立方体状の枠体Ａを組立て、この枠体Ａに、合成樹脂材のシートまたは布地により、上部側が四角な角筒状で、下部側が漏斗状をなし、角筒状の上部側の外面側における前後左右の各面に、前記ビームａを嵌挿せしめる鞘袋状の筒部６０を、上下に多段に並列させて設けた穀粒袋Ｂを、枠体Ａの継柱４間に渡架する四本のビームａのそれぞれを該穀粒袋Ｂの筒部６０に対し嵌挿しておくことにより懸架せしめてなる穀粒運搬用のコンテナを提起するものである。
【発明の効果】
【００１３】
本発明による穀粒運搬用のコンテナは、枠体Ａのベース１の四隅に立設する枠柱２…を枠体Ａを組立て構成するよう連結保持させるための桁材とするビームａと、懸架する穀粒袋Ｂの上面側の開放口を開口状態に保持するために、穀粒袋の開口縁の外面側に装設した鞘袋状の筒部６０に嵌挿して、枠柱２の上端側に高さ調節自在に接続した継柱４間に渡架するビームａとを、兼用させ、かつ、筒部６０に挿通する４本のビームａは、２本一組の枠柱２間に対して渡架する２本のビームａを、筒部６０に挿通して継柱４の上部に設けた接続金具３に連結した状態のままに残して、他の２本のビームａだけを抜き取り、その状態で前記２本一組の枠柱２を、対向する側に折畳むことにより枠体Ａを折畳んでいくことから、２本のビームａを取り外すだけで枠体Ａの折畳み作業が行え、しかも、ビームａを枠柱２に対して渡架連結する接続金具３が、止めネジを使用しない嵌め込み式として充分な強度を発揮するようにしていることで簡単に取り外せるので、折畳み作業が著しく簡単に行えるようになる。
【発明を実施するための最良の形態】
【００１４】
次に本発明の実施の態様を、実施例につき図面に従い詳述する。
【実施例１】
【００１５】
図４は本発明手段を実施せる穀粒運搬用のコンテナの側面図、図５は同上コンテナの後面図である。図において、Ａは枠体、Ｂはこれに懸架した穀粒袋、Ｃは組立てられた穀粒運搬用のコンテナを示す。
【００１６】
枠体Ａは、鉄板等の金属材の折曲加工により成形した枠材により、床面積がトラックＴの荷台ｔ上に載置し得る広さで、四隅にベース柱１０を具備する背の低い前後に長四角な台枠状のベース１を組立て、それの四隅のベース柱１０の上端側に、それぞれ、枠柱２の下端側を、前後または左右の何れか一方の回動を自在に軸着連結して、ベース１と枠柱２との間に渡架するひ打ち梁５により直立する状態に保持せしめ、それら４本の枠柱２の各上端部には、別に形成しておく継柱４を、枠柱２からの突出高さを可調に嵌装して接続し、その継柱４の各上端側に、相い隣なる継柱４の面と外面との２つの面に、ビームａ接続用の接続金具３を設け、この接続金具３を介し４本のビームａを、四隅の継柱４の、相い隣なる継柱４と継柱４との間に渡架して組付けることで、前後に長四角な中空の立方体状に組立ててある。
【００１７】
穀粒袋Ｂは、合成樹脂材のシートまたは布地を裁断し縫製することで、上部側が前述の枠体Ａの内腔の、平面視における内面形状に対応する形状の角筒状で、下部側が、前後・左右の四つの壁面のそれぞれ下方に向け次第に巾狭まとした漏斗状をなし、底部に下方に開放する開口６３を具備する形状に成形し、それの下口の開口６３には、四角な枠金状の口枠６１を取付け、角筒状をなす上部側の外面側には、ビームａを挿通することで、上面側の開放口を開口状態に保持せしめた鞘袋状の筒部６０が、四つの壁面のそれぞれに、上下に多段に並列するように装設してある。
【００１８】
この穀粒袋Ｂの枠体Ａに対する懸架・装着は、穀粒袋Ｂの底部の開口６３の口縁に設けた口枠６１を、枠体Ａのベース１の上面側の中央部位に設けた組付座１１に組付け、その組付座１１の下面側にセットしておく穀粒搬送機７の受入口に、底部の開口６３が接続連通する状態としておいて、穀粒袋Ｂの上部側の外周面に多段に並列させて設けた鞘袋状の筒部６０に対し、枠体Ａの枠柱２の上端側に接続した継柱４の上端部間に渡架して組付けるビームａを、それの渡架・組付けの前に、並列する筒部６０…から選択した筒部６０に挿通して、そのビームａの筒部６０から突出する端部を、継柱４の上端部に設けた接続金具３に嵌装してビームａを継柱４間に渡架することによって行われるようにしてあり、これにより、枠体Ａの組立てと、穀粒袋Ｂの懸架とが、同時に行われるようになる。
【００１９】
この枠体Ａに穀粒袋Ｂを懸架して構成する穀粒運搬用のコンテナＣを、穀粒の収穫期が終えたときに、格納するために行う枠体Ａの折畳みは、穀粒袋Ｂの上端側の四周の外面側に設けた鞘袋状の筒部６０に挿通した４本のビームａの中の、前後または左右の２面に位置する２本のビームａを残すことで、穀粒袋Ｂが、枠体Ａの四隅の枠柱に対し連繋している状態において、枠柱２の折畳み回動により、穀粒袋Ｂごとベース１上面に畳み込んでいくことで行われるようにしている。
【００２０】
ベース１の四隅のベース柱１０の各上端側にヒンジ１２を介し折畳み回動自在に立設しておく四本の枠柱２は、前後方向または左右方向に一対に並列する一方の２本一組の枠柱２・２が、それぞれ、対面する他の２本一組の枠柱２・２に向けての倒伏回動が自在になるように軸支する。
【００２１】
図示する実施例について具体的に云えば、枠体Ａを平面視において、前後に長い長四角の立方体状に組立て構成しているこの実施例においては、図６にあるように前面側（図において左面側）の左右の両隅にそれぞれ位置して左右に並列する２本の枠柱２ｃ・２ｄを、対向する他方の一組の枠柱として、前面側の左右に一対に並列する２本の枠柱２ａ・２ｂにあっては、それらが連結杆２０により一体的に組み合わされた状態において、後面側の左右に一対の枠柱２ｃ・２ｄに対面する方向となる後方に向けての倒伏回動が自在となるように、ベース柱１０・１０に対し、左右方向に沿う横方向のヒンジ１２により前後方向にのみ回動するよう軸着連結し、かつ、そのベース柱１０・１０には、枠柱２ａ・２ｂが直立する姿勢となった状態において、その直立姿勢からのヒンジ１２中心とする前方への回動を阻止するストッパ１３を設けておき、これにより、直立姿勢から後方への回動だけが許容されるようにする。
【００２２】
後面側の左右に一対に並列する左右の枠柱２ｃ・２ｄにあっては、後面側の左右に一対のベース柱１０・１０の上端部に対し、左右方向に沿う横方向のヒンジ１２により、前後方向にのみ回動するように軸着連結し、かつ、直立する姿勢からの後方への回動を阻止するストッパ１３をベース柱１０・１０に設けておき、これにより、直立する姿勢から、前面側の一組の枠柱２ａ・２ｂに対面する方向となる前方への回動のみが許容されるようにしておく。
【００２３】
そして、これらの一組ずつに連結している枠柱２ａ・２ｂと枠柱２ｃ・２ｄは、それぞれ直立した姿勢とした状態において、ベース１と枠柱２との間に係脱自在に渡架するひ打ち梁５により直立する姿勢に保持せしめるようにしている。
【００２４】
従って、組立てられた枠体Ａの、枠柱２の折畳み回動は、ベース１と枠柱２間に渡架したひ打ち梁５を取り外して、枠柱２のヒンジ１２中心とする回動が許容される状態として行う。
【００２５】
この前面側の一組の枠柱２ａ・２ｂおよびこれと対面する後面側の一組の枠柱２ｃ・２ｄの折畳み回動は、枠柱２の上端側に接続した継柱４間に渡架してある四本のビームａの中の、前面側と後面側とに位置する２本のビームａを残し、左面側と右面側に位置する２本のビームａを取り外した状態として行う。
【００２６】
このことから、穀粒袋Ｂは、それの上部側の開口部の、前縁側と、後縁側とが、残したビームａを介して枠体Ａに懸架された状態で、それぞれ、一組に組み合わされている前面側の枠柱２ａ・２ｂと後面側の枠柱２ｃ・２ｄとともに、ベース１の上面に折畳まれる。
【００２７】
このとき、折畳む、前面側の枠柱２ａ・２ｂおよび後面側の枠柱２ｃ・２ｄは、それらに接続してある継柱４を含めた高さ寸法が、ベース１の前後の巾寸法の半分よりも大きく、そのため、折り畳んだときに互いに干渉するようになるときは、先に折畳む側の枠柱２（この実施例においては後面側の枠柱２ｃ・２ｄ）を軸支するヒンジ１２の位置を、後から折畳む側の枠柱２ａ・２ｂを軸支ヒンジ１２の位置よりも、枠柱２の前後方向の巾寸法分低く位置させておき、先に折畳んだ枠柱２ｃ・２ｄの上に、後から折畳む枠柱２ａ・２ｂが重合して折畳まれるようにしてある。
【００２８】
ここで、この枠体Ａを折畳む作業の工程を、図示する実施例について説明する。図７に示している状態のコンテナＣから、まず、枠体Ａの左右の両側面の上端側に、渡架してあるビームａの前後の両端部と、継柱４に装設してある接続金具３との連結を外して、そのビームａを、穀粒袋Ｂの鞘袋状の筒部６０から抜き取って取り外す。
【００２９】
これにより穀粒袋Ｂは、それの上面側の開口部の前後の口縁部が、前面側および後面側のビームａにそれぞれ懸架して支承されることで、その口縁部の前後の中間部がたるむ図８に示す状態となる。
【００３０】
次いで、後面側の枠柱２とベース１との間に斜めに渡架したひ打ち梁５の上端側と枠柱２に設けた掛留金具５０との連結を解除して、ひ打ち梁５を、それの下端側とベース１とを回動自在に連結する連結軸５１中心に図８において反時計回りに回動させて、ベース１の側面に格納し、このひ打ち梁５による後面側の枠柱２の支持を開放し、この状態において、この後面側の枠柱２をベース１の上面に向け折畳み回動させ、図９に示す状態とする。
【００３１】
次に、前面側の枠柱２とベース１との間に斜めに渡架したひ打ち梁５の上端側を、枠柱２に設けた掛留金具５０から外して、そのひ打ち梁５を、連結軸５１中心に時計回りに回動させて、ベース１の側面に格納し、この状態において枠柱２をベース１の上面に向け回動させ、図１０に示す状態とし、枠体Ａの折畳み作業を終了する。
【００３２】
枠体Ａを組立て、それに穀粒袋Ｂを懸架するために、穀粒袋Ｂの外周面の鞘袋状の筒部６０に嵌挿して、枠柱２の上端側に、接続した継柱４間に渡架するビームａを連結・固定するよう継柱４に設ける接続金具３は、枠体Ａを格納するときの、ビームａの取り外しを容易にするために、図１１にあるように、金属板を、内腔にビームａの端部が嵌入するチャンネル状に成形して、継柱４の壁面に、図１２にあるように上方が開放する姿勢として、そのこぐちを突き当てて溶接するか、一方の側壁面を図１５にあるように継柱４の外面側の壁面に突き当てて溶接することで、継柱４の壁面に固定装着し、かつ、それの内面側には、底壁３０または、枠体Ａの内腔側に位置する内側の側壁３１の内面に、ビームａの周壁に開設しておく嵌合穴ｂに対して嵌合する係止ピン３２を植設しておき、さらに、このチャンネル状の接続金具３の内腔に、ビームａの端部が嵌め込まれて、そのビームａの周壁に開設した嵌合穴ｂと係止ピン３２とが嵌り合った状態において、そのビームａの端部をこのチャンネル状の接続金具３の内腔に押さえ込むバネ材よりなる押さえ片３３を、このチャンネル状の接続金具３の周壁の開放側の端縁部に組付けておいて、ビームａを組付けるときには、押さえ片３３をバネの付勢に抗して押し拡いた状態としてビームａを嵌め込み、嵌め込んだところで押さえ片３３の押し拡きを開放して、押さえ片３３がバネの付勢によりビームａを接続金具３内に押さえ込むようにし、また、ビームａを取り外すときは、押さえ片３３を押し拡いて、ビームａを接続金具３の内腔から抜き出すことで行うようにし、これによりビームａの脱着が、ネジ・ボルトの装脱の操作を要することなく手早く行えるようにしている。
【００３３】
このチャンネル状の接続金具３を用いて行うビームａの枠体Ａに対する組付けは、穀粒の運搬作業中にあっては、枠体Ａに懸架した穀粒袋Ｂ内の穀粒の重量により、ビームａを枠体Ａの内側の下方に向けて引き込む荷重が働くことで、ビームａは、それの周壁に設けた嵌合穴ｂが接続金具３に植設してある係止ピン３２に差し込まれるように動く力を受け、かつ、接続金具３の内壁面に押し付けられるようになり、これにより、ビームａは接続金具３に対し強固に連結し、枠体Ａの組立てを適確に補強する梁として機能するようになる。
【００３４】
また、穀粒の運搬を終えて、空荷でトラックＴの走行により移動するときは、穀粒袋Ｂ内の穀粒の重量による荷重が、ビームａにかからないことで、走行中の揺動によりビームａの端部が接続金具３から脱出してくるようになる。このとき、押さえ片３３のバネの付勢による押さえ込みで、ビームａの周壁に開設した嵌合穴ｂが係止ピン３２から脱出するのを阻止して、ビームａを接続金具３に連結した状態に保持するよう機能する。
【００３５】
次に図１６、図１７は、本発明による穀粒運搬用のコンテナＣの、枠体Ａに懸架した穀粒袋Ｂ内の穀粒を、ベース１に組付けた穀粒搬送機７により排出させるときに、平面視において、前後に長四角に成形してある穀粒袋Ｂの、漏斗状に形成した下部側における前面側と後面側の傾斜の緩い壁面上に残るようになる穀粒を、きれいに開口６３に流下させて排出させるための手段を示している。
【００３６】
この手段は、穀粒袋Ｂの下部側の前面側と後面側の各壁面８０・８１の、上下方向における中間部位の内面に、布地よりなる帯状または紐状の係止片９０を、それぞれ横方向に沿わせて当接し、それの両端部位を各壁面に対して係着することで、中間部が壁面８０から浮いた引手状をなす形態にしておき、別に、ゴム紐またはコイルバネ等の伸縮する弾性紐状体９１を、前述の前面側と後面側の壁面８０・８１にそれぞれ取り付けた帯状または紐状の係止片９０と係止片９０との間の距離より短い長さ寸法に形成して、その弾性紐状体９１の両端部に、それぞれフック９２を取付け、そのフック９２を、弾性紐状体９１を引き伸ばしながら前記係止片９０・９０にそれぞれ引き掛けて、前面側の壁面８０と後面側の壁面８１とを弾性紐状体９１の弾性により互いに近づけ、それにより前後の壁面８０・８１の傾斜角度を急にし、残粒が、傾斜の急な左右の壁面８２・８２上を流下する穀粒と共に穀粒袋Ｂの底部の開口６３に流下していくようにする。
【００３７】
そして、この弾性紐状体９１は、穀粒の収穫期が終わり、穀粒運搬用のコンテナＣを収納舎に格納するときに、穀粒袋Ｂの内面に係着してある係止片９０からフック９２を外して取りのけておき枠柱２・２を折畳んだ状態の枠体Ａの外面の適宜の個所にフック９２を掛け、その枠体Ａの外面に、伸長させて係止し、緊縛状態とすることで、枠体Ａを折畳まれた状態に梱包するように使用する。
【図面の簡単な説明】
【００３８】
【図１】従前の穀粒運搬用のコンテナの、トラックの荷台上に載架した状態における斜視図である。
【図２】同上のコンテナの枠体の組立途上における斜視図である。
【図３】同上の、穀粒袋の底部側の縦断側面図である。
【図４】本発明による穀粒運搬用のコンテナの、側面図である。
【図５】同上のコンテナの後面図である。
【図６】同上のコンテナの枠体の組立途上の側面図である。
【図７】同上コンテナの折畳み作業を説明する側面図である。
【図８】同上コンテナの、枠体から左右のビームを取り除いた状態の側面図である。
【図９】同上のコンテナの枠体の、後面側の枠柱を折畳んだ状態の側面図である。
【図１０】同上コンテナの枠体の、前面側と後面側の枠柱とを折畳んだ状態の側面図である。
【図１１】同上コンテナの枠体の四隅の継柱の上部に装設しておくビーム接続用の接続金具の正面図である。
【図１２】同上コンテナの同上接続金具を継柱に取付けた状態における斜視図である。
【図１３】同上コンテナの同上状態の接続金具にビームの端部を嵌挿した状態における一部破断した斜視図である。
【図１４】同上コンテナの接続金具の別の実施例の継柱に取付けた状態の斜視図である。
【図１５】同上コンテナの同上実施例の接続金具の、ビームの端部を嵌挿させた状態における一部破断した側面図である。
【図１６】同上コンテナの、弾性紐状体を使用する前の状態における斜視図である。
【図１７】同上コンテナの、弾性紐状体を張架した状態における斜視図である。
【符号の説明】
【００３９】
Ａ…枠体、Ｂ…穀粒袋、Ｃ…コンテナ、Ｔ…トラック、ａ…ビーム、ｂ…嵌合穴、ｔ…荷台、１…ベース、１０…ベース柱、１１…組付座、１２…ヒンジ、１３…ストッパ、２…枠柱、２ａ・２ｂ・２ｃ・２ｄ…枠柱、２０…連結杆、３…接続金具、３０…底壁面、３１…側壁面、３２…係止ピン、３３…押さえ片、４…継柱、５…ひ打ち梁、５０…掛留金具、５１…連結軸、６０…筒部、６１…口枠、６２…ネジ、６３…開口、７…穀粒搬送機、７０…穀粒搬送筒、８０…前面側の壁面、８１…後面側の壁面、８２…左右の壁面、９０…係止片、９１…弾性紐状体、９２…フック。
【図１】
2007246145.tif 000003
【図２】
2007246145.tif 000004
【図３】
2007246145.tif 000005
【図４】
2007246145.tif 000006
【図５】
2007246145.tif 000007
【図６】
2007246145.tif 000008
【図７】
2007246145.tif 000009
【図８】
2007246145.tif 000010
【図９】
2007246145.tif 000011
【図１０】
2007246145.tif 000012
【図１１】
2007246145.tif 000013
【図１２】
2007246145.tif 000014
【図１３】
2007246145.tif 000015
【図１４】
2007246145.tif 000016
【図１５】
2007246145.tif 000017
【図１６】
2007246145.tif 000018
【図１７】
2007246145.tif 000019